(57)【要約】  【課題】  現在の停車シーンに応じて、適切な情報をドライバーに提供することのできる情報提供装置を提供する。  【解決手段】  情報提供装置１は、車両のドライバーに対して情報を提供するための装置である。車両から取得できる車両情報と地図情報に対応付けて、複数の停車シーンが設定されており、この装置１の停車シーン判定部９では、車両から取得した現在の車両情報と地図情報に基づいて、複数の停車シーンの中から車両の現在の停車シーンの判定が行われ、また、この装置１の提供情報決定部１３では、現在の停車シーンに応じて、車両のドライバーに対して提供する情報が決定される。【選択図】  図１
2010168016.tif 000002
【特許請求の範囲】
【請求項１】
車両のドライバーに対して情報を提供するための装置であって、
前記車両から取得できる車両情報と地図情報に対応付けて、複数の停車シーンが設定されており、
前記装置は、
前記車両から取得した現在の車両情報と地図情報に基づいて、前記複数の停車シーンの中から前記車両の現在の停車シーンの判定を行う停車シーン判定手段と、
前記現在の停車シーンに応じて、前記車両のドライバーに対して提供する情報を決定する提供情報決定手段と、
を備えることを特徴とする情報提供装置。
【請求項２】
前記車両から取得した現在の車両情報と地図情報に基づいて、前記現在の停車シーンについての安全度の推定を行う安全度推定手段を、さらに備え、
前記提供情報決定手段は、前記安全度に応じて、前記車両のドライバーに対して提供する情報を決定することを特徴とする請求項１に記載の情報提供装置。
【請求項３】
前記車両から取得した現在の車両情報に基づいて、前記現在の停車シーンが終了したか否かを判定するシーン終了判定手段を、さらに備え、
前記提供情報決定手段は、前記停車シーンの終了判定結果に応じて、前記車両のドライバーに対して提供する情報を決定することを特徴とする請求項１または請求項２に記載の情報提供装置。
【請求項４】
前記車両情報には、少なくとも車速の情報が含まれており、
前記シーン終了判定手段は、前記車両の現在の車速が所定の基準速度以下である場合であっても、前記車両情報に含まれる他の情報に所定の基準変化より大きな変化があった場合には、前記現在の停車シーンが終了したと判定することを特徴とする請求項３に記載の情報提供装置。
【請求項５】
前記車両情報には、少なくとも車速の情報が含まれており、
前記シーン終了判定手段は、前記車両の現在の車速が所定の基準速度を超えた場合であっても、前記車両情報に含まれる他の情報に所定の基準変化より大きな変化がなかった場合には、前記現在の停車シーンが終了していないと判定することを特徴とする請求項３または請求項４に記載の情報提供装置。
【請求項６】
車両のドライバーに対して情報を提供する方法であって、
前記車両から取得できる車両情報と地図情報に対応付けて、複数の停車シーンが設定されており、
前記方法は、
前記車両から取得した現在の車両情報と地図情報に基づいて、前記複数の停車シーンの中から前記車両の現在の停車シーンの判定を行うことと、
前記現在の停車シーンに応じて、前記車両のドライバーに対して提供する情報を決定することと、
を含むことを特徴とする情報提供方法。
【請求項７】
車両のドライバーに対して情報を提供するためのプログラムであって、
前記車両から取得できる車両情報と地図情報に対応付けて、複数の停車シーンが設定されており、
前記プログラムは、コンピュータに、
前記車両から取得した現在の車両情報と地図情報に基づいて、前記複数の停車シーンの中から前記車両の現在の停車シーンの判定を行う処理と、
前記現在の停車シーンに応じて、前記車両のドライバーに対して提供する情報を決定する処理と、
を実行させることを特徴とするプログラム。
【発明の詳細な説明】
【技術分野】
【０００１】
本発明は、車両のドライバーに情報を提供する情報提供装置に関する。
【背景技術】
【０００２】
従来、車両のドライバーに情報を提供する装置として、車両の走行状態に応じた形態でドライバーに情報を提示する情報提供装置が提案されている（例えば特許文献１参照）。この従来の情報提供装置では、車両が走行中である場合には、音声によって情報が提示され、ドライバーに対して視線を誘導することなく情報が伝達される。一方、車両が停車中である場合には、テキストや画像によって情報が提示され、ドライバーに対して詳細な情報が伝達される。
【特許文献１】特開２００８−２０１２１７号公報
【発明の開示】
【発明が解決しようとする課題】
【０００３】
しかしながら、従来の情報提示装置では、車両が停車している状況（停車シーン）には様々な状況（例えば、信号のない交差点での右折待ちや、路肩での安全な停車など）があるにも関わらず、それらの停車シーンごとの違いが何ら考慮されていない。つまり、従来の情報提示装置では、様々な停車シーンに応じた適切な情報の提供が行われないという問題があった。
【０００４】
本発明は、上記の課題に鑑みてなされたもので、様々な停車シーンに応じた適切な情報の提供を行うことのできる情報提供装置を提供することを目的とする。
【課題を解決するための手段】
【０００５】
本発明の情報提供装置は、車両のドライバーに対して情報を提供するための装置であって、前記車両から取得できる車両情報と地図情報に対応付けて、複数の停車シーンが設定されており、前記装置は、前記車両から取得した現在の車両情報と地図情報に基づいて、前記複数の停車シーンの中から前記車両の現在の停車シーンの判定を行う停車シーン判定手段と、前記現在の停車シーンに応じて、前記車両のドライバーに対して提供する情報を決定する提供情報決定手段と、を備えている。
【０００６】
これにより、車両から取得した現在の車両情報と地図情報に基づいて、複数の停車シーンの中から現在の停車シーンの判定が行われる。そして、現在の停車シーンに応じて、適切な情報がドライバーに提供される。
【０００７】
また、本発明の情報提供装置は、前記車両から取得した現在の車両情報と地図情報に基づいて、前記現在の停車シーンについての安全度の推定を行う安全度推定手段を、さらに備え、前記提供情報決定手段は、前記安全度に応じて、前記車両のドライバーに対して提供する情報を決定してもよい。
【０００８】
これにより、車両から取得した現在の車両情報と地図情報に基づいて、現在の停車シーンについての安全度の推定が行われる。そして、現在の停車シーンの安全度に応じて、適切な情報がドライバーに提供される。
【０００９】
また、本発明の情報提供装置は、前記車両から取得した現在の車両情報に基づいて、前記現在の停車シーンが終了したか否かを判定するシーン終了判定手段を、さらに備え、前記提供情報決定手段は、前記停車シーンの終了判定結果に応じて、前記車両のドライバーに対して提供する情報を決定してもよい。
【００１０】
これにより、車両から取得した現在の車両情報に基づいて、現在の停車シーンが終了したか否かの判定が行われる。そして、停車シーンの終了判定結果に応じて、適切な情報がドライバーに提供される。
【００１１】
また、本発明の情報提供装置では、前記車両情報には、少なくとも車速の情報が含まれており、前記シーン終了判定手段は、前記車両の現在の車速が所定の基準速度以下である場合であっても、前記車両情報に含まれる他の情報に所定の基準変化より大きな変化があった場合には、前記現在の停車シーンが終了したと判定してもよい。
【００１２】
これにより、車両の現在の車速が基準速度以下（例えば、時速０ｋｍ）になった場合でも、他の車両情報に変化があった場合（例えば、前の車との車間距離が大きくなった場合など）には、停車シーンが終了したと判定される。このようにして、車速以外の情報も考慮に入れて、車両の停車シーンの終了判定が適切に行われる。
【００１３】
また、本発明の情報提供装置では、前記車両情報には、少なくとも車速の情報が含まれており、前記シーン終了判定手段は、前記車両の現在の車速が所定の基準速度を超えた場合であっても、前記車両情報に含まれる他の情報に所定の基準変化より大きな変化がなかった場合には、前記現在の停車シーンが終了していないと判定してもよい。
【００１４】
これにより、車両の現在の車速が基準速度（例えば、時速０ｋｍ）を越えた場合でも、他の車両情報にあまり変化がなかった場合（例えば、前の車との車間距離が僅かしか変わらなかった場合など）には、停車シーンが終了していないと判定される。このようにして、車速以外の情報も考慮に入れて、車両の停車シーンの終了判定が適切に行われる。
【００１５】
本発明の情報提供方法は、車両のドライバーに対して情報を提供する方法であって、前記車両から取得できる車両情報と地図情報に対応付けて、複数の停車シーンが設定されており、前記方法は、前記車両から取得した現在の車両情報と地図情報に基づいて、前記複数の停車シーンの中から前記車両の現在の停車シーンの判定を行うことと、前記現在の停車シーンに応じて、前記車両のドライバーに対して提供する情報を決定することと、を含んでいる。
【００１６】
この方法によっても、車両から取得した現在の車両情報と地図情報に基づいて、複数の停車シーンの中から現在の停車シーンの判定が行われる。そして、現在の停車シーンに応じて、適切な情報がドライバーに提供される。
【００１７】
本発明のプログラムは、車両のドライバーに対して情報を提供するためのプログラムであって、前記車両から取得できる車両情報と地図情報に対応付けて、複数の停車シーンが設定されており、前記プログラムは、コンピュータに、前記車両から取得した現在の車両情報と地図情報に基づいて、前記複数の停車シーンの中から前記車両の現在の停車シーンの判定を行う処理と、前記現在の停車シーンに応じて、前記車両のドライバーに対して提供する情報を決定する処理と、を実行させるものである。
【００１８】
このプログラムによっても、車両から取得した現在の車両情報と地図情報に基づいて、複数の停車シーンの中から現在の停車シーンの判定が行われる。そして、現在の停車シーンに応じて、適切な情報がドライバーに提供される。
【発明の効果】
【００１９】
本発明によれば、複数の停車シーンの中から現在の停車シーンの判定を行い、その現在の停車シーンに応じてドライバーに提供する情報を決定することにより、現在の停車シーンに応じて、適切な情報をドライバーに提供することができる。
【発明を実施するための最良の形態】
【００２０】
以下、本発明の実施の形態の情報提供装置について、図面を用いて説明する。本実施の形態では、カーナビゲーション装置等に用いられる情報提供装置の場合を例示する。この情報提供装置は、車両のドライバーに対して種々の情報を提供する機能を有している。この機能は、情報提供装置のメモリやＨＤＤに格納されているプログラムによって実現される。
【００２１】
まず、本実施の形態の情報提供装置の構成を、図面を参照して説明する。図１は、情報提供装置の構成を示すブロック図である。図１に示すように、情報提供装置１は、車両情報を取得するための車両情報取得部２と、地図情報を取得するための地図情報取得部３と、車両のドライバーに情報を提供するための各種の処理を行う制御部４を備えている。この制御部４は、ＣＰＵやマイコンなどで構成されている。
【００２２】
車両情報取得部２は、車両に搭載されたＧＰＳ装置５から車両の現在位置の情報を、車両情報として取得する機能を備えている。この車両情報取得部２は、車速、左右のウィンカー（左右ターンＳＷ）のオン／オフ、舵角、ハザードランプのオン／オフ、停車直前の加速度、ブレーキ圧、サイドブレーキのオン／オフなどの車両情報を、車両に搭載された車両センサ６から取得する機能を備えている。また、この車両情報取得部２は、前方の車両との車間距離、車両前方の停止線の有無、車両前方の横断歩道の有無、車両前方の信号の有無などの車両情報を、車両に搭載された車載カメラ７から取得する機能を備えている。本実施の形態では、車両情報取得部２は、図示しない車載ＬＡＮ（ＣＡＮ、ＡＶＣ−ＬＡＮ、ＢＥＡＮなど）を介して、これらの車両情報を取得する。
【００２３】
地図情報取得部３は、大容量のＨＤＤなどで構成された地図情報ＤＢ８から地図情報を取得する機能を備えている。この地図情報には、交差点の位置（緯度経度など）、道路種別（高速自動車道、国道、県道など）、交差点の難易度（道路の形状などで決定される）などの情報が含まれている。また、この地図情報には、交差点における停止線の有無、交差点における横断歩道の有無、交差点における信号の有無などの情報が含まれていても良い。
【００２４】
制御部４は、車両から取得した現在の車両情報と地図情報に基づいて、現在の停車シーンの判定を行う停車シーン判定部９を備えている。この停車シーン判定部９は、ＨＤＤやメモリなどで構成された停車シーンＤＢ１０から停車シーン情報を取得する機能を備えている。この停車シーン情報は、複数の停車シーンについての車両情報や地図情報の対応付けを示す情報であり、本実施の形態では、予め設定されて停車シーンＤＢ１０に記憶されている。停車シーン判定部９は、この停車シーン情報を参照して、複数の停車シーンの中から現在の停車シーンの判定を行う。
【００２５】
ここで、図面を参照して、停車シーン情報をより具体的に説明する。図２は、停車シーン情報の一例を示す図である。例えば、図２では、「信号有り交差点における先頭での左折待ち」という停車シーンが、「車速、交差点判定（車両の現在位置が交差点近傍であるか否か）、左ターンＳＷ、舵角、車間距離、交差点までの距離、信号の有無」という情報に対応付けられている。
【００２６】
なお、図２の「停車シーン」の欄において、Ｘは、４以上の整数（４、５、…）であり、「舵角θ」の欄において、θ１、θ２は、任意の定数である。また、「車間距離Ｄ」の欄において、Ｄ１、Ｄ２は、任意の定数であり、「交差点までの距離Ｌ」の欄において、Ｌ１〜Ｌ７は、任意の定数である。さらに、「停車直前加速度α」の欄において、α１は、任意の定数である。
【００２７】
例えば、「車速：時速０ｋｍ、交差点判定：TRUE（現在位置：交差点近傍）、左ターンＳＷ：TRUE（左ウィンカー：オン）、舵角θ：０≦θ≦θ１（例えば、θ１＝５４０°）、車間距離Ｄ：Ｄ≧Ｄ２（例えば、Ｄ２＝１０ｍ）、交差点までの距離Ｌ：Ｌ≦Ｌ１（例えば、Ｌ１＝３ｍ）、信号有無：TRUE（信号：有）」の場合には、停車シーン判定部９によって、現在の停車シーンが「信号有り交差点における先頭での左折待ち」であると判定される。
【００２８】
また、「車速：時速０ｋｍ、停止線有無：TRUE（停止線：有）」の場合には、停車シーン判定部９によって、現在の停車シーンが「停止線で一時停止」であると判定され、「車速：時速０ｋｍ、横断歩道有無：TRUE（横断歩道：有）」の場合には、停車シーン判定部９によって、現在の停車シーンが「横断歩道手前で停止」であると判定される。さらに、「車速：時速０ｋｍ、停車直前加速度α≦α１（例えば、α１＝−５ｍ／秒／秒）」の場合には、停車シーン判定部９によって、現在の停車シーンが「急停車」であると判定され、「車速：時速０ｋｍ、ハザードランプ：TRUE（ハザードランプ：オン）」の場合には、停車シーン判定部９によって、現在の停車シーンが「安全停車」であると判定される。
【００２９】
図１に示すように、制御部４は、車両から取得した現在の車両情報と地図情報に基づいて、現在の停車シーンの安全度の推定を行う安全度推定部１１を備えている。この安全度推定部１１は、下記の式１を用いて、現在の停車シーンの安全度Ｆを算出する。
Ｆ＝ａ×Ｆｒ＋ｂ×Ｆｄ  （式１）
なお、ａ、ｂは、所定の定数である。
【００３０】
Ｆｒは、道路要因の安全度増減パラメータ（交差点難易度、横断歩道有無、道路難易度など）であり、下記の式２によって計算される。
Ｆｒ＝ａ１×交差点難易度＋ａ２×横断歩道有無＋ａ３×道路難易度  （式２）
なお、ａ１〜ａ３は、所定の定数である。
【００３１】
ここで、交差点難易度は、交差点の形状（Ｔ字路、十字路、五叉路、六叉路など）から決定される。また、道路難易度は、道路種別（高速自動車道、一般国道、主要地方道、一般都道府県道、一般市道、町村道など）と車線数（１車線、２車線、３車線など）から決定される。
【００３２】
また、Ｆｄは、ドライバー要因の安全度増減パラメータＦｄ（ブレーキ圧、サイドブレーキなど）であり、下記の式３によって計算される。
Ｆｄ＝ｂ１×ブレーキ圧＋ｂ２×サイドブレーキ  （式３）
なお、ｂ１、ｂ２は、所定の定数である。
【００３３】
ここで、ブレーキ圧は、ブレーキペダルの踏み込み度合いを示す数値であり、サイドブレーキは、サイドブレーキをかけているか否かを示す数値（例えば、サイドブレーキをかけている＝１、サイドブレーキをかけていない＝０）である。
【００３４】
また、図１に示すように、制御部４は、車両から取得した現在の車両情報に基づいて、現在の停車シーンが終了したか否かを判定するシーン終了判定部１２を備えている。このシーン終了判定部１２は、原則として、現在の車速が時速０ｋｍでなくなった場合（車両が動き出した場合）には、現在の停車シーンが終了したと判定し、現在の車速が時速０ｋｍである場合（車両が動いていない場合）には、現在の停車シーンは終了しないと判定する。
【００３５】
ただし、このシーン終了判定部１２は、現在の車速が時速０ｋｍである場合（車両が動いていない場合）であっても、他の車両情報に大きな変化があった場合（例えば、前の車両が動き出して「車間距離」が大きくなった場合や、「信号」が青に変わった場合など）には、現在の停車シーンが終了したと判定する。
【００３６】
また、このシーン終了判定部１２は、現在の車速が時速０ｋｍでなくなった場合（車両が動き出した場合）であっても、他の車両情報にあまり変化がなかった場合（例えば、前の車両との「車間距離」があまり変わらない場合や、「車速」が時速０ｋｍでない時間が短い場合など）には、現在の停車シーンが終了していないと判定する。
【００３７】
さらに、図１に示すように、制御部４は、現在の停車シーン（停車シーンの終了判定結果も含む）や安全度に応じて、車両のドライバーに対して提供する情報を決定する提供情報決定部１３を備えている。この提供情報決定部１３は、大容量のＨＤＤなどで構成された提供情報ＤＢ１４から、車両のドライバーに提供する情報（経路案内や近くのＰＯＥの情報など）を取得する機能を備えている。提供情報ＤＢ１４には、車両のドライバーに提供するための様々な情報が記憶されており、提供情報決定部１３は、これらの多数の情報の中から現在の停車シーンや安全度に適した情報を選び出す機能を備えている。例えば、「信号のない交差点での右折待ち」で「安全度が低い」ような場合には、音声による簡単な経路案内などが提供される。また、「路肩での安全な停車」で「安全度が高い」ような場合には、画像やテキストを用いた詳しい経路案内や、ＰＯＩの情報、スポットＣＭなどが提供される。
【００３８】
この情報提供装置１では、危険度の高い（安全度の低い）停車時に、前方に注意する必要がある旨の警告（前方に注意をしていないときの警告）が行われてもよい。これにより、危険度が高いときに、ドライバーの注意を喚起することができる。
【００３９】
また、この情報提供装置１では、ドライバーに対する詳しい情報提供の可否を、計器盤（インストゥルメント・パネル）などのエリアに、ＬＥＤ表示やアイコン表示などで、ドライバーに通知してもよい。これにより、ドライバーは、詳しい情報提供を受けようとして機器操作をする前に、詳しい情報提供が禁止されていることに気付くことができる。
【００４０】
また、この情報提供装置１は、各停車シーンにおいて、車両を発進させる前に行うべき安全確認をドライバーが行っているかどうかを、ドライバーの視線の動きから確認する機能を備えており、発車前の安全確認をドライバーが行っていないと判定された場合には、安全確認を行う旨の警告が行われる。例えば、「信号のある交差点において先頭での信号待ち」の停車シーンで、ドライバーが信号を見ていないと判定された場合には、信号確認を行う旨の警告が行われる。また、「一時停止」の停車シーンで、ドライバーが左右確認を行っていないと判定された場合には、左右確認を行う旨の警告が行われる。
【００４１】
また、この情報提供装置１は、信号等の情報から停車シーンの長さ（時間の長さ）を予測する機能を備えており、その停車シーンの長さに応じた情報をドライバーに提供するように、ドライバーへの情報提供が制御される。
【００４２】
以上のように構成された情報提供装置１について、図面を用いてその動作を説明する。
【００４３】
図３は、本実施の形態の情報提供装置１の動作の流れを示すフロー図である。図３に示すように、停車中の車両のドライバーに情報の提供が行われるときには、まず、車両から現在の車両情報と地図情報が取得される（Ｓ１、Ｓ２）。そして、現在の車両情報と地図情報を用いて、現在の停車シーンの判定が行われ（Ｓ３）、また、現在の車両情報と地図情報を用いて、現在の停車シーンの安全度が推定される（Ｓ４）。さらに、現在の車両情報を用いて、現在の停車シーンが終了したか否かの判定が行われる（Ｓ５）。
【００４４】
そして、現在の停車シーン（停車シーンの終了判定結果も含む）や安全度に応じて、車両のドライバーに対して提供する情報が決定され（Ｓ６）、その情報が車両のドライバーに提供される（Ｓ７）。
【００４５】
このような本実施の形態の情報提供装置１によれば、複数の停車シーンの中から現在の停車シーンの判定を行い、その現在の停車シーンに応じてドライバーに提供する情報を決定することにより、現在の停車シーンに応じて、適切な情報をドライバーに提供することができる。
【００４６】
すなわち、本実施の形態では、車両から取得した現在の車両情報と地図情報に基づいて、複数の停車シーンの中から現在の停車シーンの判定が行われる。そして、現在の停車シーンに応じて、適切な情報がドライバーに提供される。
【００４７】
また、本実施の形態では、車両から取得した現在の車両情報と地図情報に基づいて、現在の停車シーンについての安全度の推定が行われる。そして、現在の停車シーンの安全度に応じて、適切な情報がドライバーに提供される。
【００４８】
また、本実施の形態では、車両から取得した現在の車両情報に基づいて、現在の停車シーンが終了したか否かの判定が行われる。そして、停車シーンの終了判定結果に応じて、適切な情報がドライバーに提供される。
【００４９】
また、本実施の形態では、車両の現在の車速が基準速度以下（例えば、時速０ｋｍ）になった場合でも、他の車両情報に変化があった場合（例えば、前の車との車間距離が大きくなった場合など）には、停車シーンが終了したと判定される。このようにして、車速以外の情報も考慮に入れて、車両の停車シーンの終了判定が適切に行われる。
【００５０】
また、本実施の形態では、車両の現在の車速が基準速度（例えば、時速０ｋｍ）を越えた場合でも、他の車両情報にあまり変化がなかった場合（例えば、前の車との車間距離が僅かしか変わらなかった場合など）には、停車シーンが終了していないと判定される。このようにして、車速以外の情報も考慮に入れて、車両の停車シーンの終了判定が適切に行われる。
【００５１】
以上、本発明の実施の形態を例示により説明したが、本発明の範囲はこれらに限定されるものではなく、請求項に記載された範囲内において目的に応じて変更・変形することが可能である。
【産業上の利用可能性】
【００５２】
以上のように、本発明にかかる情報提供装置は、現在の停車シーンに応じて、適切な情報をドライバーに提供することができるという効果を有し、カーナビゲーション装置等に用いられ、有用である。
【図面の簡単な説明】
【００５３】
【図１】本実施の形態の情報提供装置の構成を示すブロック図である。
【図２】停車シーン情報（複数の停車シーンについての車両情報や地図情報の対応付け）の一例を示す図である。
【図３】本実施の形態の情報提供装置の動作の流れを説明するためのフロー図である。
【符号の説明】
【００５４】
１  情報提供装置
２  車両情報取得部
３  地図情報取得部
４  制御部
５  ＧＰＳ装置
６  車両センサ
７  車載カメラ
８  地図情報ＤＢ
９  停車シーン判定部
１０  停車シーンＤＢ
１１  安全度推定部
１２  シーン終了判定部
１３  提供情報決定部
１４  提供情報ＤＢ
【図１】
2010168016.tif 000003
【図２】
2010168016.tif 000004
【図３】
2010168016.tif 000005